(57)【要約】【課題】設置場所を広く取らずに、設置コストの掛からない、一般家庭等においても、広く利用可能な、シャワー入浴装置を提供する。【解決手段】Ｔ字パイプ１０と該パイプを背負う背負い手段２０とを備える。Ｔ字パイプの横パイプ１４両端のそれぞれからは、脇パイプ１６を延設する。そして、Ｔ字パイプ１０を背負い手段２０により背中に背負った状態において、Ｔ字パイプの縦パイプ１２が背筋後方空間に配置され、Ｔ字パイプの横パイプ１４が両肩上方空間に配置され、脇パイプ１６が人体の左右空間に配置されるようにする。Ｔ字パイプ１０及び脇パイプ１６の内側には、温水送給手段３０により温水を強制送給して、その温水を、Ｔ字パイプ１０及び脇パイプ１６の各所に設けられた複数のノズル４０から、それらのパイプ１０、１６外側に噴射させて、人体の各所に振り掛ける。【選択図】        図１
2004160054.tif 000002
【特許請求の範囲】
【請求項１】
Ｔ字パイプと、該Ｔ字パイプの縦パイプが背筋後方空間に配置されると共に、該Ｔ字パイプの横パイプが両肩上方空間に配置されるように、Ｔ字パイプを背中に背負う背負い手段と、前記横パイプ両端のそれぞれから延設された脇パイプであって、前記背負い手段によりＴ字パイプを背中に背負った状態において、人体の左右空間に配置される脇パイプと、Ｔ字パイプ及び脇パイプの内側に温水を強制送給する温水送給手段と、該温水送給手段によりＴ字パイプ及び脇パイプの内側に強制送給された温水をそれらのパイプ各所からパイプ外側に噴射させて人体の各所に振り掛けるための、Ｔ字パイプ及び脇パイプの各所に設けられた複数のノズルとが備えられたことを特徴とするシャワー入浴装置。
【請求項２】
前記温水送給手段が、給湯器と、該給湯器から排出された温水を貯留するタンクと、該タンク内に前記給湯器から排出された温水を流入させる温水通路と、前記タンク内の温水をＴ字パイプ及び脇パイプの内側に送り込む温水路と、該温水路を通してタンク内の温水をＴ字パイプ及び脇パイプの内側に強制送給するためのポンプと、前記タンク内の温水温度を検知するセンサと、該センサにより検知されたタンク内の温水温度が所定範囲内にある場合に、前記ポンプを動作可能状態とする制御手段とからなる請求項１記載のシャワー入浴装置。
【請求項３】
前記Ｔ字パイプ及び脇パイプが、その内側に温水を通す温水チューブが配置された２重壁構造をした請求項１又は２記載のシャワー入浴装置。
【請求項４】
前記２重壁構造をしたＴ字パイプ又は／及び脇パイプの外側壁と、その内側の温水チューブ側壁との間に、温風を通す温風通路が形成されて、その温風通路に温風を強制送給する温風送給手段が設けられ、前記Ｔ字パイプ又は／及び脇パイプの外側壁各所には、前記温風送給手段から温風通路に強制送給された温風をそれらのパイプの外側壁各所から人体に向けて放出させる温風放出穴が開口された請求項３記載のシャワー入浴装置。
【請求項５】
前記Ｔ字パイプ又は／及び脇パイプの少なくとも１部が、その配置形状を変更可能な構造に形成された請求項１、２、３又は４記載のシャワー入浴装置。
【請求項６】
前記Ｔ字パイプに、該Ｔ字パイプ吊り下げ用のフックが設けられた請求項１、２、３、４又は５記載のシャワー入浴装置。
【発明の詳細な説明】
【０００１】
【発明の属する技術分野】
本発明は、温水シャワーによる入浴を行うためのシャワー入浴装置に関する。
【０００２】
【従来の技術】
上記シャワー入浴装置としては、例えば特開２００２−１７５９６号公報記載のものがある。
【０００３】
【特許文献１】特開２００２−１７５９６号公報
【０００４】
【発明が解決しようとする課題】
しかしながら、上記シャワー入浴装置は、腰掛け式の大掛かりなもので、その設置場所に多くのスペースを要すると共に、その設置に多大なコストが掛かるために、一般家庭などで広く利用されてはいない。
【０００５】
本発明は、このような課題を解消するためのものであって、背中に背負って、何処ででも、手軽に利用可能な、設置場所を広く取らずに、設置コストの掛からない、簡便なシャワー入浴装置を提供することを目的としている。
【０００６】
【課題を解決するための手段】
このような目的のために、本発明のシャワー入浴装置は、Ｔ字パイプと、該Ｔ字パイプを背中に背負う背負い手段とを備えている。そして、Ｔ字パイプを背負い手段により背中に背負った状態において、該Ｔ字パイプの縦パイプが背筋後方空間に配置されると共に、該Ｔ字パイプの横パイプが両肩上方空間に配置されるようにしている。
また、Ｔ字パイプの横パイプ両端のそれぞれからは、脇パイプが延設されている。そして、Ｔ字パイプを背負い手段により背中に背負った状態において、それらの脇パイプが人体の左右空間に配置されるようにしている。
さらに、Ｔ字パイプ及び脇パイプの内側に温水を強制送給する温水送給手段が備えられている。そして、該温水送給手段によりＴ字パイプ及び脇パイプの内側に強制送給された温水を、Ｔ字パイプ及び脇パイプの各所に設けられた複数のノズルから、パイプ外側に噴射させて、人体の各所に振り掛けることができるようにしている。
【０００７】
本発明のシャワー入浴装置において、温水送給手段は、給湯器と、該給湯器から排出された温水を貯留するタンクと、該タンク内に前記給湯器から排出された温水を流入させる温水通路と、前記タンク内の温水をＴ字パイプ及び脇パイプの内側に送り込む温水路と、該温水路を通してタンク内の温水をＴ字パイプ及び脇パイプの内側に強制送給するためのポンプと、前記タンク内の温水温度を検知するセンサと、該センサにより検知されたタンク内の温水温度が所定範囲内にある場合に、前記ポンプを動作可能状態とする制御手段とから構成すると良い。
その場合には、給湯器から排出された温水を、温水通路を通して、タンク内に貯留し、そのタンク内の温水を、温水路を通して、Ｔ字パイプ及び脇パイプの内側にポンプにより強制送給できる。そして、その温水を、Ｔ字パイプ及び脇パイプの各所に設けられた複数のノズルから、それらのパイプ外側の人体の各所に振り掛けることができる。
また、タンク内の温水温度をセンサにより検知して、タンク内の温水温度が所定範囲内にある場合にのみ、ポンプを動作させて、そのタンク内の温水を、Ｔ字パイプ及び脇パイプの内側に強制送給できる。そして、タンク内の温水が熱過ぎたり冷た過ぎたりした場合に、その温水が、ポンプによりＴ字パイプ及び脇パイプの内側に強制送給されて、人体に振り掛かるのを、防ぐことができる。
【０００８】
前記Ｔ字パイプ及び脇パイプは、その内側に温水を通す温水チューブが配置された２重壁構造とすると良い。
その場合には、そのＴ字パイプ及び脇パイプの内側に配置される温水チューブの内径を小径に絞って、その温水チューブ内側に前記温水送給手段から強制送給される温水の圧力を高めることができる。そして、その圧力が高まった温水を、Ｔ字パイプ及び脇パイプの各所に設けられた複数のノズルから、人体の各所に勢い良く振り掛けることができる。
また、その温水チューブ内側を通す温水の量を少なく抑えて、省エネ化を図れる。
【０００９】
前記２重壁構造をしたＴ字パイプ又は／及び脇パイプの外側壁と、その内側の温水チューブ側壁との間には、温風を通す温風通路を形成すると良い。そして、その温風通路に温風を強制送給する温風送給手段を設けると良い。Ｔ字パイプ又は／及び脇パイプの外側壁各所には、温風送給手段から温風通路に強制送給された温風をそれらのパイプの外側壁各所から人体に向けて放出させる温風放出穴を開口すると良い。
その場合には、そのＴ字パイプ又は／及び脇パイプの外側壁と、その内側の温水チューブ側壁との間に形成された温風通路に、温風送給手段により、温風を強制送給できる。そして、その温風を、Ｔ字パイプ又は／及び脇パイプの外側壁各所に開口された温風放出穴を通して、それらのパイプの外側壁各所から人体に向けて放出させることができる。そして、その温風により、温水シャワーを浴びて濡れた人体の各所を乾燥させたり暖めたりできる。
【００１０】
前記Ｔ字パイプ又は／及び脇パイプの少なくとも１部は、その配置形状を変更可能な構造に形成すると良い。
その場合には、Ｔ字パイプ又は／及び脇パイプの１部等の配置形状を、それに向き合う人体の形状に合わせて、自在に変更できる。そして、その配置形状を変更したＴ字パイプ又は／及び脇パイプの１部等に設けられたノズルから、それに対向する人体部分に、温水を的確な角度で振り掛けることが可能となる。
【００１１】
前記Ｔ字パイプには、該Ｔ字パイプ吊り下げ用のフックを設けると良い。
その場合には、そのフックを用いて、Ｔ字パイプを浴室壁面等に吊るすことができる。そして、背負い手段が備えられた重量のあるＴ字パイプ及び脇パイプを、背中に背負う必要をなくすことができる。
【００１２】
【発明の実施の形態】
図１ないし図３は本発明のシャワー入浴装置の好適な実施の形態を示し、図１はその斜視図、図２はその使用状態説明図、図３はそのＴ字パイプ及び脇パイプの拡大断面図である。以下に、このシャワー入浴装置を説明する。
【００１３】
このシャワー入浴装置は、Ｔ字パイプ１０と、該Ｔ字パイプを背中に背負う背負い手段２０とを備えている。そして、図２に示したように、Ｔ字パイプ１０を背負い手段２０により背中に背負った状態において、Ｔ字パイプの縦パイプ１２が背筋後方空間に配置されると共に、Ｔ字パイプの横パイプ１４が両肩上方空間に配置されるようにしている。
Ｔ字パイプ１０は、軽量な丸棒パイプがＴ字状に連結されて形成されている。背負い手段２０は、Ｔ字パイプの縦パイプ１２の中途部が固定された軽量な方形枠２２と、該方形枠両側の上下端に亙ってそれぞれ輪状に架け渡された伸縮自在な幅広のバンド２４であって、両腕をその内側に通して、方形枠２２を背中に背負うためのバンド２４とから構成されている。
【００１４】
Ｔ字パイプの横パイプ１４両端のそれぞれからは、脇パイプ１６が延設されている。そして、Ｔ字パイプ１０を背負い手段２０により背中に背負った状態において、それらの脇パイプ１６が人体の左右空間に配置されるようにしている。
脇パイプ１６は、軽量な丸棒パイプを前方にほぼ弧状に大きく湾曲させて形成されている。そして、その脇パイプ１６が、腕前方の人体脇部空間に沿って配置されるようにしている。
【００１５】
また、このシャワー入浴装置には、Ｔ字パイプ１０及び脇パイプ１６の内側に温水を強制送給する温水送給手段３０が備えられている。そして、その温水送給手段３０によりＴ字パイプ１０及び脇パイプ１６の内側に強制送給された温水を、Ｔ字パイプ１０及び脇パイプ１６の側壁各所に設けられた複数のノズル４０から、それらのパイプ１０、１６外側に噴射させて、それらの各ノズル４０に対向する人体の両肩、首背部、背中、胸、膝、脚、臀部等に振り掛けることができるようにしている。
温水送給手段３０は、図１に示したように、給湯器３２と、該給湯器から排出された温水を貯留するタンク３４と、該タンク内に給湯器３２から排出された温水を流入させる温水通路３３と、タンク３４内の温水をＴ字パイプ１０及び脇パイプ１６の内側に送り込む温水路３９と、該温水路を通してタンク３４内の温水をＴ字パイプ１０及びそれに連なる脇パイプ１６の内側に強制送給するためのポンプ３６と、タンク３４内の温水温度を検知するセンサ３７と、該センサにより検知されたタンク３４内の温水温度が所定範囲内にある場合に、ポンプ３６を動作可能状態とする電子回路等からなる制御手段３８とから構成されている。
そして、給湯器３２から排出された温水を、温水通路３３を通して、タンク３４内に一旦貯留し、そのタンク３４内の温水を、温水路３９を通して、Ｔ字パイプ１０及びそれに連なる脇パイプ１６の内側にポンプ３６により強制送給できるようにしている。そして、その温水を、Ｔ字パイプ１０及び脇パイプ１６の側壁各所に設けられた複数のノズル４０から、人体の各所に振り掛けることができるようにしている。
また、タンク３４内の温水温度をセンサ３７により検知して、タンク３４内の温水温度が例えば３６〜４２℃等の所定範囲内にある場合にのみ、制御手段３８によりポンプ３６を動作させて、そのタンク３４内の温水を、Ｔ字パイプ１０及び脇パイプ１６の内側に強制送給できるようにしている。そして、タンク３４内の温水が熱過ぎたり又は冷た過ぎたりした場合に、その温水が、ポンプ３６によりＴ字パイプ１０及び脇パイプ１６の内側に強制送給されて、人体に振り掛かるのを、防ぐことができるようにしている。
【００１６】
Ｔ字パイプ１０及び脇パイプ１６は、図３に示したように、その内側に温水を通すフレキシブルで柔軟な温水チューブ５０が配置された２重壁構造に形成されている。
そして、そのＴ字パイプ１０及び脇パイプ１６の内側に配置される温水チューブ５０の内径を小径に絞って、その温水チューブ５０内側に温水送給手段３０により強制送給する温水の圧力を高めることができるようにしている。そして、その圧力が高まった温水チューブ５０内側の温水を、Ｔ字パイプ１０及び脇パイプ１６の側壁各所に設けられた複数のノズル４０から、人体の各所に勢い良く振り掛けることができるようにしている。
また、その小径に絞った温水チューブ５０内側を通す温水の量を少なく抑えて、省エネ化を図れるようにしている。
さらに、Ｔ字パイプ１０及び脇パイプ１６とその内側に配置される温水チューブ５０との間には、空間が広く設けられていて、Ｔ字パイプ１０及び脇パイプ１６の軽量化が図られている。そして、その背中に背負うＴ字パイプ１０及び脇パイプ１６の荷重負担の軽減化が図られている。
【００１７】
Ｔ字パイプの縦パイプ１２下端は、図１及び図２に示したように、蛇腹状をした屈曲可能なパイプ部材から形成されていて、その配置形状を、その内側に挿通されたフレキシブルな温水チューブ５０と共に変更可能な構造に形成されている。そして、その縦パイプ１２下端を、それに向き合う人体臀部の形状に合わせて、内側にほぼＬ字状に屈曲変更できるようにしている。そして、その配置形状を変更した縦パイプ１２下端に設けられたノズル４０から、それに対向する人体臀部に、温水を的確な角度で振り掛けることができるようにしている。
なお、脇パイプ１６も、屈曲可能なパイプ部材等から形成して、その配置形状を、その内側に挿通されたフレキシブルな温水チューブ５０と共に変更可能な構造に形成することも可能である。そして、その脇パイプ１６を、それに向き合う人体側部の形状に合わせて、屈曲変更できるようにすることも可能である。そして、その配置形状を変更した脇パイプ１６に設けられたノズル４０から、それに対向する人体側部に、温水を的確な角度で振り掛けることができるようにすることも可能である。
【００１８】
Ｔ字パイプの縦パイプ１２は、図１に示したように、その方形枠２２よりも上方に位置する部分を伸縮可能な２重筒構造等に形成すると良い。そして、両肩上方に配置されるＴ字パイプの横パイプ１４及びそれに連なる脇パイプ１６の高さ位置を、人体の背丈等に合わせて、上下に調整できるようにすると良い。
ノズル４０には、温水をパイプ１０、１６外側にストレート状、噴霧状又は間欠状態等に切り替え可能に噴射させるための温水噴射切り替え手段（図示せず）を備えると良い。
タンク３４には、竹炭、入浴剤等を添加できるようにすると良い。
そして、より快適な温水シャワー入浴が確保されるようにすると良い。
さらに、Ｔ字パイプの横パイプ１４等には、図１に示したように、フック６０を設けると良い。そして、背負い手段２０が備えられたＴ字パイプ１０及び脇パイプ１６を浴室壁面等に吊るすことができるようにすると良い。そして、背負い手段２０が備えられた重量のあるＴ字パイプ１０及び脇パイプ１６を背中に背負う必要をなくすことができるようにすると良い。そして、シャワー入浴装置を、背中に過度な負担を掛けずに、病弱者や老人等でも使用できるようにすると良い。
【００１９】
このシャワー入浴装置の使用に際しては、図２に示したように、Ｔ字パイプ１０を脇パイプ１６と共に背負い手段２０により背中に背負う。又は、そのＴ字パイプ１０に設けられたフック６０を用いて、背負い手段２０が備えられたＴ字パイプ１０を脇パイプ１６と共に浴室壁面等に吊るす。そして、Ｔ字パイプの縦パイプ１２を背筋後方空間に配置したり、Ｔ字パイプの横パイプ１４を両肩上方空間に配置したり、脇パイプ１６を人体の左右空間に配置したりする。次いで、温水送給手段３０により、温水をＴ字パイプ１０及び脇パイプ１６の内側に強制送給する。
すると、その温水送給手段３０からＴ字パイプ１０及び脇パイプ１６の内側に強制送給された温水を、Ｔ字パイプ１０及び脇パイプ１６の側壁各所に設けられた複数のノズル４０から、それらのパイプ１０、１６外側に噴射させて、それらの各ノズル４０に対向する人体の各所に振り掛けることができる。そして、温水シャワー入浴を行うことができる。
【００２０】
図３と図４は本発明のシャワー入浴装置の他の好適な実施の形態を示し、図３はその温風通路の断面図、図４はその斜視図である。以下に、このシャワー入浴装置を説明する。
【００２１】
このシャワー入浴装置では、図３に示したように、その２重壁構造をしたＴ字パイプ１０又は／及び脇パイプ１６の外側壁と、その内側の温水チューブ５０側壁との間に、温風を通す温風通路７０が形成されている。そして、図４に示したように、その温風通路７０に、それらのパイプ１０、１６外側から温風を強制送給する温風送給手段８０が設けられている。温風送給手段８０は、図４に示したように、電熱ヒータ８２と送風ファン８４とを主要構成部材に用いて形成されていて、電熱ヒータ８２で加熱された空気を、送風ファン８４により、温風チューブ８６内側を通して、上記の温風通路７０に強制送給する構造をしている。
Ｔ字パイプ１０又は／及び脇パイプ１６の外側壁各所には、温風送給手段８０から温風通路７０に強制送給された温風をそれらのパイプの外側壁各所から人体に向けて放出させる温風放出穴９０が開口されている。
【００２２】
その他は、図１ないし図３に示した、前述のシャワー入浴装置と同様に構成されていて、このシャワー入浴装置においては、その２重壁構造をしたＴ字パイプ１０又は／及び脇パイプ１６の外側壁と、その内側の温水チューブ５０側壁との間に形成された温風通路７０に、温風送給手段８０により、温風を強制送給できる。そして、その温風を、Ｔ字パイプ１０又は／及び脇パイプ１６の外側壁各所に開口された温風放出穴９０を通して、それらのパイプの外側壁各所から人体に向けて放出させることができる。そして、その温風により、温水シャワーを浴びて濡れた人体の各所を乾燥させたり暖めたりできる。そして、冬季等の寒い時期においても、快適な温水シャワー入浴を行うことができる。
【００２３】
【発明の効果】
以上説明したように、本発明によれば、背中に背負う等して、何処ででも、手軽に利用可能な、簡便なシャワー入浴装置を提供可能となる。
また、設置場所を広く取らずに、設置コストの掛からない、一般家庭等においても、広く利用可能な、シャワー入浴装置を提供可能となる。
【図面の簡単な説明】
【図１】本発明のシャワー入浴装置の斜視図である。
【図２】本発明のシャワー入浴装置の使用状態説明図である。
【図３】Ｔ字パイプ及び脇パイプの拡大断面図である。
【図４】本発明のシャワー入浴装置の斜視図である。
【符号の説明】
１０  Ｔ字パイプ
１２  縦パイプ
１４  横パイプ
１６  脇パイプ
２０  背負い手段
３０  温水送給手段
３２  給湯器
３４  タンク
３６  ポンプ
３７  センサ
３８  制御手段
４０  ノズル
５０  温水チューブ
６０  フック
７０  温風通路
８０  温風送給手段
９０  温風放出穴
【図１】
2004160054.tif 000003
【図２】
2004160054.tif 000004
【図３】
2004160054.tif 000005
【図４】
2004160054.tif 000006